(57)【要約】【課題】使用する周波数帯域で、温度変化による送受信の振幅値の偏差を抑えることができる通信装置を提供すること。【解決手段】送信信号の信号路に介在して設けられると共に制御電圧の印加により容量が変化する可変容量素子とインダクタンスとを含む共振回路を有し、この共振回路の共振点に応じて高周波の入力信号の振幅を調整する振幅調整回路と、前記信号路が置かれている雰囲気の温度を検出する温度検出部と、一のチャンネルにおける周波数帯域において、送信信号の振幅値が予め設定した値になるようにまたは近づくように、前記振幅調整回路の制御電圧値と温度検出値との関係データを記憶する記憶部と、前記温度検出部の温度検出値と前記関係データとに基づいて振幅調整回路の制御電圧を出力する制御電圧出力部と、を備えるように装置を構成する。【選択図】図８
2011188304.tif 000002
【特許請求の範囲】
【請求項１】
周波数が割り当てられた一のチャンネルにおける送信信号の周波数が予め決められた帯域を有する通信装置において、
高周波信号である送信信号の信号路に介在して設けられると共に制御電圧の印加により容量が変化する可変容量素子とインダクタンスとを含む共振回路を有し、この共振回路の共振点に応じて高周波の入力信号の振幅を調整する振幅調整回路と、
前記信号路が置かれている雰囲気の温度を検出する温度検出部と、
一のチャンネルにおける周波数帯域において、送信信号の振幅値が予め設定した値になるようにまたは近づくように、前記振幅調整回路の制御電圧値と温度検出値との関係データを記憶する記憶部と、
前記温度検出部の温度検出値と前記関係データとに基づいて振幅調整回路の制御電圧を出力する制御電圧出力部と、を備えたことを特徴とする通信装置。
【請求項２】
周波数が割り当てられた一のチャンネルにおける受信信号の周波数が予め決められた帯域を有する通信装置において、
高周波信号である受信信号の信号路に介在して設けられると共に制御電圧の印加により容量が変化する可変容量素子とインダクタンスとを含む共振回路を有し、この共振回路の共振点に応じて高周波の入力信号の振幅を調整する振幅調整回路と、
前記信号路が置かれている雰囲気の温度を検出する温度検出部と、
一のチャンネルにおける周波数帯域において、受信信号の振幅値が予め設定した値になるようにまたは近づくように、前記振幅調整回路の制御電圧値と温度検出値との関係データを記憶する記憶部と、
前記温度検出部の温度検出値と前記関係データとに基づいて振幅調整回路の制御電圧を出力する制御電圧出力部と、を備えたことを特徴とする通信装置。
【請求項３】
一のチャンネルにおける周波数帯域において周波数に対する振幅値の変化パターンが、前記振幅調整回路において入力信号の振幅値に対する出力信号の振幅値の比と周波数との関係パターンによりならされるように制御電圧が決められていることを特徴とする請求項１または２記載の通信装置。
【請求項４】
ＰＬＬ回路と電圧制御発振部とを備えた周波数シンセサイザにおいて、
前記電圧制御発振部の出力信号の信号路に介在して設けられると共に制御電圧の印加により容量が変化する可変容量素子とインダクタンスとを含む共振回路を有し、この共振回路の共振点に応じて入力信号の振幅を調整する振幅調整回路と、
前記信号路が置かれている雰囲気の温度を検出する温度検出部と、
前記出力信号の設定周波数における振幅値が予め設定した値になるようにまたは近づくように、設定周波数毎に制御電圧値と温度検出値との関係データを記憶する記憶部と、
前記温度検出部の温度検出値と設定周波数と前記関係データとに基づいて振幅調整回路の制御電圧を出力する制御電圧出力部と、を備えたことを特徴とする通信装置。
【請求項５】
ＰＬＬ回路と電圧制御発振部とを備えた周波数シンセサイザにおいて、
前記電圧制御発振部の出力信号の信号路に介在して設けられると共に制御電圧の印加により容量が変化する可変容量素子とインダクタンスとを含む共振回路を有し、この共振回路の共振点に応じて入力信号の振幅を調整する振幅調整回路と、
前記信号路が置かれている雰囲気の温度を検出する温度検出部と、
周波数シンセサイザの電圧制御発振部の制御電圧を増幅して振幅調整回路の制御電圧として出力するアンプと、
前記温度検出部の温度検出値に応じて前記アンプの出力を調整するための温度調整部と、を備えたことを特徴とする周波数シンセサイザ。
【発明の詳細な説明】
【技術分野】
【０００１】
本発明は、通信装置及び周波数シンセサイザに関する。
【背景技術】
【０００２】
近年、無線通信の大容量化に伴う伝送レートの高速化により、通信装置で使用される通信帯域幅が広くなってきている。そのように通信帯域幅が広くなるにつれ、この通信帯域の上下で信号の振幅値の差が大きくなる。
【０００３】
そして、通信装置を構成するフィルタやアンプは温度特性を有するため、無線通信機に送受信される信号の振幅周波数特性は温度によって変動し、前記通信帯域内の振幅値の差は、さらに大きくなるおそれがある。このように帯域内での振幅値の差が大きくなると、無線通信機が送受信した信号に変調をかけたときに、変調精度が低下してしまい、通信エラーが起きる懸念がある。
【０００４】
また、ＰＬＬ回路と電圧制御発振部とを備えた周波数シンセサイザも通信装置と同様に温度特性を有しており、出力信号の振幅値が温度によって変動してしまうという問題がある。従って、この発振器を無線通信機に組み込んだ場合にも通信エラーが起きてしまう懸念がある。
【０００５】
特許文献１には、振幅等化回路を備えた通信装置について記載されており、周波数特性の偏差を検出し、その偏差を補償することについて示されている。しかし、この装置構成は複雑であり、コストが高くなってしまう。
【先行技術文献】
【特許文献】
【０００６】
２００９−２４６６５５
【発明の概要】
【発明が解決しようとする課題】
【０００７】
本発明はこのような事情の下になされたものであり、使用する周波数帯域で、温度変化による送信信号の振幅値の偏差及び受信信号の振幅値の偏差を抑えることができる通信装置を提供することである。また、他の課題としては温度による出力信号の振幅値の変化を抑えることができる周波数シンセサイザを提供することである。
【課題を解決するための手段】
【０００８】
本発明の通信装置は、周波数が割り当てられた一のチャンネルにおける送信信号の周波数が予め決められた帯域を有する通信装置において、
高周波信号である送信信号の信号路に介在して設けられると共に制御電圧の印加により容量が変化する可変容量素子とインダクタンスとを含む共振回路を有し、この共振回路の共振点に応じて高周波の入力信号の振幅を調整する振幅調整回路と、
前記信号路が置かれている雰囲気の温度を検出する温度検出部と、
一のチャンネルにおける周波数帯域において、送信信号の振幅値が予め設定した値になるようにまたは近づくように、前記振幅調整回路の制御電圧値と温度検出値との関係データを記憶する記憶部と、
前記温度検出部の温度検出値と前記関係データとに基づいて振幅調整回路の制御電圧を出力する制御電圧出力部と、を備えたことを特徴とする。
【０００９】
また、本発明の他の通信装置は、周波数が割り当てられた一のチャンネルにおける受信信号の周波数が予め決められた帯域を有する通信装置において、
高周波信号である受信信号の信号路に介在して設けられると共に制御電圧の印加により容量が変化する可変容量素子とインダクタンスとを含む共振回路を有し、この共振回路の共振点に応じて高周波の入力信号の振幅を調整する振幅調整回路と、
前記信号路が置かれている雰囲気の温度を検出する温度検出部と、
一のチャンネルにおける周波数帯域において、受信信号の振幅値が予め設定した値になるようにまたは近づくように、前記振幅調整回路の制御電圧値と温度検出値との関係データを記憶する記憶部と、
前記温度検出部の温度検出値と前記関係データとに基づいて振幅調整回路の制御電圧を出力する制御電圧出力部と、を備えたことを特徴とする。
【００１０】
一のチャンネルにおける周波数帯域において周波数に対する振幅値の変化パターンが、前記振幅調整回路において入力信号の振幅値に対する出力信号の振幅値の比と周波数との関係パターンによりならされるように制御電圧が決められていてもよい。
【００１１】
本発明の周波数シンセサイザは、ＰＬＬ回路と電圧制御発振部とを備えた周波数シンセサイザにおいて、
前記電圧制御発振部の出力信号の信号路に介在して設けられると共に制御電圧の印加により容量が変化する可変容量素子とインダクタンスとを含む共振回路を有し、この共振回路の共振点に応じて入力信号の振幅を調整する振幅調整回路と、
前記信号路が置かれている雰囲気の温度を検出する温度検出部と、
前記出力信号の設定周波数における振幅値が予め設定した値になるようにまたは近づくように、設定周波数毎に制御電圧値と温度検出値との関係データを記憶する記憶部と、
前記温度検出部の温度検出値と設定周波数と前記関係データとに基づいて振幅調整回路の制御電圧を出力する制御電圧出力部と、を備えたことを特徴とする。
【００１２】
本発明の他の周波数シンセサイザは、ＰＬＬ回路と電圧制御発振部とを備えた周波数シンセサイザにおいて、
前記電圧制御発振部の出力信号の信号路に介在して設けられると共に制御電圧の印加により容量が変化する可変容量素子とインダクタンスとを含む共振回路を有し、この共振回路の共振点に応じて入力信号の振幅を調整する振幅調整回路と、
前記信号路が置かれている雰囲気の温度を検出する温度検出部と、
周波数シンセサイザの電圧制御発振部の制御電圧を増幅して振幅調整回路の制御電圧として出力するアンプと、
前記温度検出部の温度検出値に応じて前記アンプの出力を調整するための温度調整部と、を備えたことを特徴とする。
【発明の効果】
【００１３】
本発明の通信装置によれば、一のチャンネルにおける周波数帯域において、送信信号の振幅値、または受信信号の振幅値が予め設定した値に近づくように、温度検出部による温度検出値に基づいて振幅調整回路に制御電圧が出力される。従って、前記周波数帯域において受信信号の振幅値または送信信号の振幅値の偏差が大きくなることが防がれるため、通信エラーの発生を抑えることができる。
本発明の周波数シンセサイザによれば、温度検出部による温度検出値に基づいて振幅調整回路に制御電圧が出力される。従って出力信号の振幅値の変動が大きくなることを防ぐことができる。
【図面の簡単な説明】
【００１４】
【図１】本発明に係る周波数シンセサイザのブロック図である。
【図２】前記周波数シンセサイザに組み込まれる振幅等化回路の回路図である。
【図３】振幅周波数特性を示すグラフ図である。
【図４】発振器のメモリの構成図である。
【図５】本発明に係る受信機のブロック図である。
【図６】受信機のメモリの構成図である。
【図７】周波数と振幅値との関係を示すグラフ図である。
【図８】周波数と振幅値との関係を示すグラフ図である
【図９】本発明に係る送信機のブロック図である。
【図１０】本発明に係る他の周波数シンセサイザのブロック図である。
【図１１】本発明に係るさらに他の周波数シンセサイザのブロック図である。
【図１２】本発明に係る通信装置のブロック図である。
【発明を実施するための形態】
【００１５】
（第１の実施形態）
本発明の実施の形態に係る周波数シンセサイザ１の構成を図１に示す。周波数シンセサイザ１は、電圧制御発振回路（ＶＣＯ）１１と、ＶＣＯ１１と共にＰＬＬ（Phase Locked Loop）回路を構成するＰＬＬ−ＩＣ１２と、を備えている。ＶＣＯ１１からの出力信号の信号路には振幅等化回路２が介在して設けられている。
【００１６】
また、周波数シンセサイザ１はマイコン１３を備えており、マイコン１３には後述するメモリ１４と、周波数シンセサイザ１の周囲温度を検出する温度センサ１５とが夫々接続されている。温度検出部をなす温度センサ１５は例えばサーミスタや温度検出ＩＣにより構成されている。マイコン１３は後述するように温度センサ１５により検出された温度と、メモリ１４に格納された対応関係とに基づいて、信号電圧をＤＡＣ（ディジタル・アナログ・コンバータ）１６に出力し、ＤＡＣ１６にて変換された信号電圧が制御電圧Ｖｃとして振幅等化回路２に印加される。
【００１７】
図２には振幅調整回路である振幅等化回路２の回路図を示している。ＶＣＯ１１からの信号が入力される端子２１から出力端子２２に向かってコンデンサ２３、コンデンサ２４、インダクタ２５、コンデンサ２６がこの順に直列に接続されている。コンデンサ２４には可変容量素子であるバリキャップダイオード２７が並列に接続されている。コンデンサ２３、２４間には抵抗２８の一端が接続され、抵抗２８の他端は制御電圧入力端子２９に接続されている。抵抗２８と制御電圧入力端子２９との間には接地されたコンデンサ３１、３２が互いに並列に接続されている。
【００１８】
また、コンデンサ２３、２４間には抵抗３３が、インダクタ２５とコンデンサ２６との間には抵抗３４が夫々接続されており、これら抵抗３３、３４は互いに直列に接続されている。抵抗３３、３４間には夫々接地されたコンデンサ３５及びインダクタ３６が互いに並列に接続されている。
【００１９】
バリキャップダイオード２７とインダクタ２５とは共振回路を構成し、制御電圧端子２９に印加される制御電圧Ｖｃに応じてバリキャップダイオード２７の容量が変化し、この共振回路の共振点が変化する。そして、この共振点の変化に応じてＶＣＯ１１から入力された信号の振幅周波数特性が変化する。つまり、入力信号の振幅値が調整される。
【００２０】
ＶＣＯ１１から所定の設定周波数の信号を出力すると共に振幅等化回路２へ印加する制御電圧Ｖｃを夫々変更し、振幅等化回路２から出力される信号の振幅周波数特性を調べた。この実験では周波数シンセサイザ１の周囲温度を一定に保っている。
【００２１】
図３（ａ）〜図３（ｃ）はその実験結果を示しており、図３（ａ）＞図３（ｂ）＞図３（ｃ）の順で制御電圧Ｖｃを大きくしている。グラフ中実線のグラフ線４１は振幅周波数特性を示しており、点線のグラフ線４２は遅延特性を示している。各グラフの横軸のスケールは周波数を示している。図中左側の縦軸のスケールは振幅値を示しており、グラフ線４１に対応して記載されている。図中右側の縦軸のスケールは遅延時間を示しており、グラフ線４２に対応して記載されている。
【００２２】
ここで、グラフ線４１について周波数１７０ＭＨｚの点Ｐ１の振幅値と、周波数２０３ＭＨｚの点Ｐ２の振幅値とについて着目すると、図３（ａ）ではＰ２の方がＰ１よりも大きく、図３（ｂ）ではＰ１、Ｐ２が互いに同レベルであり、図３（ｃ）ではＰ１の方がＰ２よりも大きい。このように制御電圧Ｖｃが変動することにより、振幅周波数特性が変化して各周波数の振幅値が変動する。
【００２３】
上記の実験で適切な制御電圧Ｖｃを設定することで、各設定周波数における振幅値を補正することができることが示された。ところで、背景技術の項目で説明したように、周波数シンセサイザは温度特性があるため、装置の周囲温度が変動すれば、各図に示した振幅周波数特性は変動する。この周波数シンセサイザ１は、その温度による振幅周波数特性への影響を補償するように振幅等化回路２のバリキャップダイオード２７へ印加する制御電圧Ｖｃの値を制御し、ＶＣＯ１１から振幅等化回路２を介して出力される信号の設定周波数における振幅値が、予め設定した値になるようにまたは近づくように構成している。
【００２４】
図４に示すようにメモリ１４には、周波数シンセサイザ１の設定周波数毎に、温度センサにより検出される検出温度Ｔと対応付けられて前記制御電圧Ｖｃが記憶されたテーブル４０が格納されている。
【００２５】
ユーザがＶＣＯ１１の出力周波数を設定すると、温度センサ１５によりマイコン１３が周波数シンセサイザ１の周囲温度を検出し、メモリ１４から設定周波数に対応するテーブル４０を検索し、検索したテーブル４０から検出された温度Ｔに対応する制御電圧Ｖｃを読み出し、読み出された制御電圧Ｖｃがバリキャップダイオード２７に印加される。バリキャップダイオード２７の容量がその制御電圧Ｖｃに応じた値になり、バリキャップダイオード２７とコンデンサ２４とインダクタ２５とがなす共振回路の共振点が所定の値となる。それによって、振幅等化回路１１から出力される信号の振幅が所定の値または所定の値に近づくように補正される。
【００２６】
周囲温度Ｔが変化すると、マイコン１３が前記テーブル４０から変化した温度Ｔに応じた制御電圧Ｖｃを読み出し、読み出された制御電圧Ｖｃが印加され、前記共振点が変化する。それによって振幅等化回路２から出力される信号の振幅が所定の値または所定の値に近づくように補正される。
【００２７】
このように周波数シンセサイザ１では、各設定周波数において温度による振幅周波数特性の影響を補償し、出力信号の振幅値の変動が抑えられる。従って、通信装置などに当該周波数シンセサイザ１を組み込んだ場合に通信エラーを防ぐことができる。
【００２８】
（第２の実施形態）
続いて、本発明の通信装置の一例であり、図５に示す受信機４について説明する。受信機４は、中心周波数ｆｃが夫々割り当てられた複数チャンネルを受信できるようになっており、受信チャンネルを設定すると、その中心周波数の前後の予め決められた帯域ｆｃＬ−ｆｃＨの周波数信号を受信する。
【００２９】
高周波信号である受信信号の信号路の前段側から後段側に向かって、フィルタ４１、増幅器（ＡＭＰ）４２、フィルタ４３、ミキサ４４、フィルタ４５、振幅等価回路２、ＡＭＰ４６、ミキサ４７、ＡＭＰ４８がこの順に設けられている。ミキサ４４、ミキサ４７には夫々受信チャンネルを変更するための局部発振器５１、５２が接続されている。周波数シンセサイザ１と同様に振幅等価回路２にはＤＡＣ１６を介してマイコン１３が接続され、マイコン１３には温度センサ１５及びメモリ１４が接続されている。ただし、メモリ１４はＶＣＯ１１の検出温度Ｔと制御電圧Ｖｃとの対応関係が記憶されたテーブル４０が出力周波数毎に格納される代わりに、図６に示すように上記の受信チャンネルの中心周波数ｆｃ毎に検出温度Ｔと制御電圧Ｖｃとの対応関係が記憶されたテーブル５０が格納される。
【００３０】
背景技術の項目で説明したように、一つのチャンネルの受信周波数帯域ｆｃＬ−ｆｃＨが広いと、この受信周波数帯域内の上下で振幅値に差が生じてしまい、温度によってその差が大きくなってしまう場合がある。そこで、受信機４の振幅等化回路２においては、入力信号の振幅値に対する出力信号の振幅値の比が、ｆｃＬ−ｆｃＨの範囲で振幅値の変化を相殺し、振幅値が概ね一定の値になるように、周囲温度毎に振幅等化回路２に印加する制御電圧Ｖｃの値を制御する。具体的には振幅等化回路２が無いとしたときに受信機４がｆｃＬ−ｆｃＨの範囲で図７（ａ）のような振幅周波数特性を有する場合には、振幅等化回路２は図７（ｂ）に示すような補正特性、あるいはこれに近い補正特性が得られるように温度毎に制御電圧Ｖｃを設定し、図８に示すようにｆｃＬ−ｆｃＨの範囲で振幅値を概ね一定になるようにする。図７（ｂ）の縦軸は、振幅等化回路２の出力信号の振幅値／振幅等化回路２の入力信号の振幅値である。
【００３１】
ユーザが局部発振器５１、５２の出力周波数を設定し、受信機４の受信チャンネルＣを決定すると、温度センサ１５によりマイコン１３が受信機４の周囲温度Ｔを検出し、その受信チャンネルＣの中心周波数ｆｃに対応したテーブル５０を検索し、検索したテーブル５０の周囲温度Ｔに対応する制御電圧Ｖｃの値を読み出す。そして、読み出した値の制御電圧Ｖｃがバリキャップダイオード２７に印加され、この制御電圧Ｖｃに応じて共振点が変化することにより中心周波数ｆｃに対応して設定されている受信帯域ｆｃＬ−ｆｃＨで、上記のように振幅値が予め設定した値になるか、その値に近づくようにならされる。
【００３２】
上記のように受信機４では、当該受信機４の周囲温度に応じて、制御電圧Ｖｃを決定し、受信帯域での信号の振幅値の偏差が大きくなることを抑えているため、この受信機４で受信した信号を処理するにあたりエラーが発生することが防がれる。ところで、受信機４において、振幅等価回路２を挿入する場所は任意であり、フィルタ４５とＡＭＰ４６との間に設けることに限られない。
【００３３】
（第３の実施形態）
続いて、本発明の通信装置の一例であり、図９に示す送信機６について説明する。送信機６においては、中心周波数ｆｃが夫々割り当てられた複数のチャンネルで送信できるようになっており、送信チャンネルを設定すると、その中心周波数の前後の予め決められた帯域ｆｃＬ−ｆｃＨの周波数信号を送信する。
【００３４】
高周波信号である送信信号の信号路の前段側から後段側に向かってミキサ６１、振幅等化回路２、フィルタ６３、ＡＭＰ６４、フィルタ６５、ＡＭＰ６６、フィルタ６７がこの順に接続されている。ミキサ６１には送信チャンネルＣを変更するための局部発振器６７が接続されている。受信機４と同様に振幅等価回路２にはＤＡＣ１６、マイコン１３、温度センサ１５、テーブル５０を備えたメモリ１４が接続されている。ただし、メモリ１４のテーブル５０には受信機４の場合と異なり、受信チャンネルの中心周波数ごとにＶＣＯ１１の検出温度Ｔの各値と制御電圧Ｖｃの各値とが対応付けられて記憶される代わりに、送信チャンネルの中心周波数ごとにＶＣＯ１１の検出温度Ｔの各値と制御電圧Ｖｃの各値とが対応付けられて記憶されている。
【００３５】
背景技術の項目で説明したように、このように送信周波数帯域が広いと、送信帯域の上下で振幅値に差が生じてしまい、温度によってその差が大きくなってしまう場合がある。そこで、送信機６では受信機４と同様にｆｃＬ−ｆｃＨの範囲で振幅値の偏差を相殺し、振幅値が概ね一定の値になるような補正特性が得られるように、検出温度毎に振幅等化回路２に印加する制御電圧Ｖｃが制御される。
【００３６】
ユーザが局部発振器６７の出力周波数を設定し、送信機６の送信チャンネルＣを決定すると、温度センサ１５によりマイコン１３が受信機４の周囲温度Ｔを検出し、その送信チャンネルＣの中心周波数ｆｃに対応したテーブル５０を検索し、検索したテーブル５０の周囲温度Ｔに対応する制御電圧Ｖｃの値を読み出す。そして、読み出した値の制御電圧Ｖｃがバリキャップダイオード２７に印加され、この制御電圧Ｖｃに応じて共振点が変化することにより中心周波数ｆｃに対応して設定されている送信帯域ｆｃＬ−ｆｃＨで、振幅値が予め設定した値になるか、その値に近づく。
【００３７】
上記のように送信機６では、当該送信機６の周囲温度に応じて、制御電圧Ｖｃを決定し、送信帯域での信号の振幅値の偏差を抑えているため、この送信機６で受信した信号を処理するにあたりエラーが発生することが防がれる。また、送信機６において、振幅等価回路２を挿入する場所は任意であり、フィルタ６２とミキサ６１との間に設けることに限られない。
【００３８】
なお、上記の各実施形態で、メモリ１４に記憶されるデータは一例であり、設定周波数毎に検出温度値と制御電圧値とが対応付けられて記憶される代わりに、設定周波数及び検出温度によって、制御電圧Ｖｃが決定できるような関係式が格納されていてもよい。
【００３９】
（第４の実施形態）
続いて、図９に示した周波数シンセサイザ７について既述の周波数シンセサイザ１との差異点を中心に説明する。この周波数シンセサイザ７では、マイコン１３、メモリ１４、温度センサ１５及びＤＡＣ（ディジタル・アナログ・コンバータ）１６が設けられておらず、代わりにオペアンプ７１が設けられている。ＰＬＬ−ＩＣ１２からの出力電圧（ＶＣＯ１１の制御電圧）がオペアンプ７１で増幅され、振幅等化回路２の制御電圧Ｖｃとして出力される。
【００４０】
温度特性によりＶＣＯ１１へ出力される制御電圧が変動すると、それに比例してＶＣＯ１１から振幅等化回路２へ出力される信号電圧も変化し、この電圧の変化に比例して出力信号の周波数も変化する。そして、図７（ａ）に一例として示したように出力周波数が変化することにより前記出力信号の振幅値も変化する。オペアンプ７１から前記制御電圧Ｖｃが印加されることにより、この振幅値の変化が補償され、振幅値が所定の値になるか、または所定の値に近づくように各回路における回路定数が設定される。この周波数シンセサイザ７は、第１の実施形態の周波数シンセサイザ１と同様の効果を有し、また上記のようにマイコン１３、メモリ１４、温度センサ１５及びＤＡＣ１６を設ける必要がなくなるので、装置を安価に製造できる利点がある。
【００４１】
（第５の実施形態）
続いて、図１１に示した周波数シンセサイザ８について周波数シンセサイザ７との差異点を中心に説明する。この周波数シンセサイザ８にはオペアンプ７１に温度センサ１５が接続されており、温度センサ１５としては、予め温度によって所望の補正電圧を出力できるものを選定する。温度センサ１５の出力に応じてオペアンプ７１の出力が調整されることで、上記のような温度特性による振幅値の変化が補償されるようになっている。この構成でも周波数シンセサイザ１と同様の効果を有する。また、周波数シンセサイザ１に比べてマイコン１３、メモリ１４及びＤＡＣ１６を設ける必要がなくなるので、装置を安価に製造できる利点がある。振幅値を補償するために、ＶＣＯ１１への制御電圧の温度特性と、振幅等化回路２による補正電圧とが近似していない場合には、第４の実施形態の構成とするよりも、このように温度センサ１５を設けることが好ましい。
【００４２】
（第６の実施形態）
図１２は、周波数シンセサイザ８の構成を第２の実施形態及び第３の実施形態に応用して構成した通信装置９を示している。通信装置９は受信機２、送信機３と略同様に構成された受信機２０、送信機３０を夫々備えている。周波数シンセサイザ７と同様に、受信機２０、送信機３０を構成する振幅等化回路２には、制御電圧Ｖｃを出力するオペアンプ７１が夫々接続されており、各オペアンプ７１には温度センサ１５が接続されている。周波数シンセサイザ８の振幅等化回路２の出力側は受信機２０のミキサ４４、送信機３０のミキサ６１に夫々接続されている。周波数シンセサイザ８を構成するＰＬＬ−ＩＣ１２から制御電圧が各オペアンプ７１に出力され、第４、第５の実施形態で説明したように、周波数シンセサイザ８からの出力信号、受信機２０の受信信号、送信機３０の送信信号について温度特性により変化する振幅値の補償が行われる。
【００４３】
このように各装置を構成することにより、広帯域通信においても帯域内での振幅周波数特性を改善することができ、その通信帯域内で安定した性能が得られるようになる。
【符号の説明】
【００４４】
１、７、８              周波数シンセサイザ
１１                    ＶＣＯ
１２                    ＰＬＬ−ＩＣ
１４                    メモリ
１３                    マイコン
１５                    温度センサ
２                      振幅等化回路
３０                    テーブル
４                      受信機
６                        送信機
７１                      オペアンプ
【図１】
2011188304.tif 000003
【図２】
2011188304.tif 000004
【図３】
2011188304.tif 000005
【図４】
2011188304.tif 000006
【図５】
2011188304.tif 000007
【図６】
2011188304.tif 000008
【図７】
2011188304.tif 000009
【図８】
2011188304.tif 000010
【図９】
2011188304.tif 000011
【図１０】
2011188304.tif 000012
【図１１】
2011188304.tif 000013
【図１２】
2011188304.tif 000014